(57)【要約】【課題】オゾン発生装置により発生されたオゾンにより効率的にゴミ箱内の空気の有害菌または浮遊粒子を浄化することができるオゾン発生装置を有するゴミ箱を提供することを目的とする。【解決手段】上記の課題を解決するために、本発明は、凹入して空間が設けられた開口が一端に設けられた本体と、選択的に上記開口を被せて空間を閉鎖する蓋と、上記蓋に設置され、吸気口及び排気口により上記空間と連通し、上記空間内の空気が流れ経て本体空間内の空気を浄化するオゾン発生装置とを有する構成とされる。【選択図】        図３
2005029321.tif 000002
【特許請求の範囲】
【請求項１】
凹入して空間が設けられた開口が一端に設けられた本体と、
選択的に上記開口を被せて空間を閉鎖する蓋と、
上記蓋に設置され、吸気口及び排気口により上記空間と連通し、上記空間内の空気が流れ経て本体空間内の空気を浄化するオゾン発生装置とを有することを特徴とするオゾン発生装置を有するゴミ箱。
【請求項２】
上記オゾン発生装置は上記蓋の外端面に取付けられることを特徴とする請求項１記載のオゾン発生装置を有するゴミ箱。
【請求項３】
上記オゾン発生装置は上記蓋の内端面に取付けられることを特徴とする請求項１記載のオゾン発生装置を有するゴミ箱。
【請求項４】
上記蓋の外端面には二つのストッパーが設けられ、上記ストッパー間にはレールが形成され、
上記オゾン発生装置には上記レールに取付けられる結合部が設けられることを特徴とする請求項２記載のオゾン発生装置を有するゴミ箱。
【請求項５】
上記オゾン発生装置は、空間内の空気を上記吸気口に導入し、並びに上記排気口から排出する二つのファンを有し、
上記オゾン発生装置は、空気の流通個所に設置されるオゾン発生部、ファン、上記オゾン発生部と電気的に接続される電源供給装置とを有することを特徴とする請求項１記載のオゾン発生装置を有するゴミ箱。
【請求項６】
上記オゾン発生装置は、上記ファン、上記オゾン発生部及び上記電源供給装置を載せるための載せ部を有することを特徴とする請求項５記載のオゾン発生装置を有するゴミ箱。
【請求項７】
上記オゾン発生部は回路装置を有し、上記回路装置にはコントロール・チップ、直流電気発生器、電極エレメントが設けられ、
上記コントロール・チップの制御によって上記直流電気発生器を駆動し、高圧高周波数の電流を電極エレメントへ伝送して上記電極エレメントからオゾンを発生させることを特徴とする請求項５記載のオゾン発生装置を有するゴミ箱。
【請求項８】
上記吸気口と上記排気口の間には蓋が設けられ、上記蓋は上記載せ部と通路を形成し、上記電極エレメントは上記通路内に設置され、上記通路内に流れる空気はオゾンと作用して浄化の効果を有することを特徴とする請求項５記載のオゾン発生装置を有するゴミ箱。
【請求項９】
上記電源供給装置は、直流電気を供給することを特徴とする請求項５記載のオゾン発生装置を有するゴミ箱。
【請求項１０】
上記電源供給装置は、変圧器によって外部の交流電気を直流電気に転換することを特徴とする請求項５記載のオゾン発生装置を有するゴミ箱。
【請求項１１】
上記オゾン発生装置は、上記蓋の代わりに上記本体に設置されることを特徴とする請求項１乃至１０いずれか一項記載のオゾン発生装置を有するゴミ箱。
【請求項１２】
上記オゾン発生装置は、上記本体の空間内に取付けられることを特徴とする請求項１１記載のオゾン発生装置を有するゴミ箱。
【請求項１３】
上記オゾン発生装置は、上記本体の外周縁に取付けられることを特徴とする請求項１１記載のオゾン発生装置を有するゴミ箱。
【発明の詳細な説明】
【０００１】
【発明の属する技術分野】
本発明は、オゾン発生装置を有するゴミ箱に係り、特に、ゴミ箱内の空気を浄化するオゾンを発生させるオゾン発生装置を有するゴミ箱に関するものである。
【０００２】
【従来の技術】
一般に知られるゴミ箱は、内部にゴミを投入し、蓋を閉めて放置している。このゴミは有機物、無機物、または有機物と無機物を混合した構成（例えば油の汚れ、食べ物の残渣、化学廃棄物等）であるため、このゴミが閉鎖されたゴミ箱内に長期間放置されると、ゴミから悪臭が発生してまう場合がある。このようなゴミ箱の問題点を解決するために、様々な改良や開発が行われている。
【０００３】
【発明が解決しようとする課題】
上記従来のゴミ箱は、内部にゴミを入れたゴミ箱に蓋をして放置する機能だけあり、ゴミがゴミ箱内に長時間放置されると悪臭が発生しやすいだけでなく、使用者が蓋を開けると、臭気の元となる浮遊粒子及び有害菌が空気内に飛散しやすく、悪臭が人々に吐き気や不快感を与えてしまい、また人間の体に不調または感染を引き起こす可能性があるという問題点があった。
【０００４】
よって、本発明は、上記の問題点を解決し、オゾン発生装置により発生されたオゾンにより効率的にゴミ箱内の空気の有害菌または浮遊粒子を浄化することができるオゾン発生装置を有するゴミ箱を提供することを目的とする。
【０００５】
【課題を解決するための手段】
上記課題を解決するため、本発明は、請求項１に記載されるように、凹入して空間が設けられた開口が一端に設けられた本体と、選択的に上記開口を被せて空間を閉鎖する蓋と、上記蓋に設置され、吸気口及び排気口により上記空間と連通し、上記空間内の空気が流れ経て本体空間内の空気を浄化するオゾン発生装置とを有する構成とされる。
【０００６】
このようなオゾン発生装置を有するゴミ箱では、凹入して空間が設けられた開口が一端に設けられた本体と、選択的に開口を被せて空間を閉鎖する蓋と、蓋に設置され、吸気口及び排気口により空間と連通し、空間内の空気が流れ経て本体空間内の空気を浄化するオゾン発生装置とを有することにより、効率的にゴミ箱内の空気の有害菌または浮遊粒子を浄化することができる。
【０００７】
また、本発明は、請求項２に記載されるように、上記オゾン発生装置は上記蓋の外端面に取付けられる構成としてもよい。
【０００８】
このようなオゾン発生装置を有するゴミ箱では、オゾン発生装置が蓋の外端面に取付けられることにより、効率的にゴミ箱内の空気の有害菌または浮遊粒子を浄化することができる。
【０００９】
また、本発明は、請求項３に記載されるように、上記オゾン発生装置は上記蓋の内端面に取付けられる構成としてもよい。
【００１０】
このようなオゾン発生装置を有するゴミ箱では、オゾン発生装置が蓋の内端面に取付けられることにより、効率的にゴミ箱内の空気の有害菌または浮遊粒子を浄化することができる。
【００１１】
また、本発明は、請求項４に記載されるように、上記蓋の外端面には二つのストッパーが設けられ、上記ストッパー間にはレールが形成され、上記オゾン発生装置には上記レールに取付けられる結合部が設けられる構成としてもよい。
【００１２】
このようなオゾン発生装置を有するゴミ箱では、上記蓋の外端面には二つのストッパーが設けられ、上記ストッパー間にはレールが形成され、上記オゾン発生装置には上記レールに取付けられる結合部が設けられることにより、容易にゴミ箱内にオゾン発生装置を取り付けることができる。
【００１３】
また、本発明は、請求項５に記載されるように、上記オゾン発生装置は、空間内の空気を上記吸気口に導入し、並びに上記排気口から排出する二つのファンを有し、上記オゾン発生装置は、空気の流通個所に設置されるオゾン発生部、ファン、上記オゾン発生部と電気的に接続される電源供給装置とを有する構成としてもよい。
【００１４】
このようなオゾン発生装置を有するゴミ箱では、オゾン発生装置が空間内の空気を吸気口に導入し、並びに排気口から排出する二つのファンを有し、オゾン発生装置は空気の流通個所に設置されるオゾン発生部、ファン、オゾン発生部と電気的に接続される電源供給装置とを有することにより、効率的にゴミ箱内の空気を循環させて有害菌または浮遊粒子を浄化することができる。
【００１５】
また、本発明は、請求項６に記載されるように、上記オゾン発生装置は、上記ファン、上記オゾン発生部及び上記電源供給装置を載せるための載せ部を有する構成としてもよい。
【００１６】
このようなオゾン発生装置を有するゴミ箱では、オゾン発生装置がファン、オゾン発生部及び電源供給装置を載せるための載せ部を有することにより、ゴミ箱にオゾン発生装置を容易に取り付けることができる。
【００１７】
また、本発明は、請求項７に記載されるように、上記オゾン発生部は回路装置を有し、上記回路装置にはコントロール・チップ、直流電気発生器、電極エレメントが設けられ、上記コントロール・チップの制御によって上記直流電気発生器を駆動し、高圧高周波数の電流を電極エレメントへ伝送して上記電極エレメントからオゾンを発生させる構成としてもよい。
【００１８】
このようなオゾン発生装置を有するゴミ箱では、オゾン発生部は回路装置を有し、回路装置にはコントロール・チップ、直流電気発生器、電極エレメントが設けられ、コントロール・チップの制御によって直流電気発生器を駆動し、高圧高周波数の電流を電極エレメントへ伝送して電極エレメントからオゾンを発生させることにより、効率的にゴミ箱内の空気の有害菌または浮遊粒子を浄化することができる。
【００１９】
また、本発明は、請求項８に記載されるように、上記吸気口と上記排気口の間には蓋が設けられ、上記蓋は上記載せ部と通路を形成し、上記電極エレメントは上記通路内に設置され、上記通路内に流れる空気はオゾンと作用して浄化の効果を有する構成としてもよい。
【００２０】
このようなオゾン発生装置を有するゴミ箱では、吸気口と排気口の間には蓋が設けられ、蓋は載せ部と通路を形成し、電極エレメントは通路内に設置され、通路内に流れる空気はオゾンと作用して浄化の効果を有することにより、効率的にゴミ箱内の空気の有害菌または浮遊粒子を浄化することができる。
【００２１】
また、本発明は、請求項９に記載されるように、上記電源供給装置は、直流電気を供給する構成としてもよい。
【００２２】
このようなオゾン発生装置を有するゴミ箱では、上記電源供給装置は、直流電気を供給することにより、ゴミ箱内の空気の有害菌または浮遊粒子を浄化するオゾンを発生させることができる。
【００２３】
また、本発明は、請求項１０に記載されるように、上記電源供給装置は、変圧器によって外部の交流電気を直流電気に転換する構成としてもよい。
【００２４】
このようなオゾン発生装置を有するゴミ箱では、電源供給装置が変圧器によって外部の交流電気を直流電気に転換することにより、ゴミ箱内の空気の有害菌または浮遊粒子を浄化するオゾンを発生させることができる。
【００２５】
また、本発明は、請求項１１に記載されるように、上記オゾン発生装置は、上記蓋の代わりに上記本体に設置される構成としてもよい。
【００２６】
このようなオゾン発生装置を有するゴミ箱では、オゾン発生装置が蓋の代わりに本体に設置されることにより、ゴミ箱内の空気の有害菌または浮遊粒子を浄化することができる。
【００２７】
また、本発明は、請求項１２に記載されるように、上記オゾン発生装置は、上記本体の空間内に取付けられる構成としてもよい。
【００２８】
このようなオゾン発生装置を有するゴミ箱では、オゾン発生装置が本体の空間内に取付けられることにより、効率的にゴミ箱内の空気の有害菌または浮遊粒子を浄化することができる。
【００２９】
また、本発明は、請求項１３に記載されるように、上記オゾン発生装置は、上記本体の外周縁に取付けられる構成としてもよい。
【００３０】
このようなオゾン発生装置を有するゴミ箱では、オゾン発生装置が本体の外周縁に取付けられることにより、ゴミ箱内の空気の有害菌または浮遊粒子を浄化することができる。
【００３１】
以下に添付図面を参照して本発明のある好適な実施の形態を詳細に説明するが、それらの構成は本発明の構造の絶対的な制限にならない。
【００３２】
【発明の実施の形態】
以下、図を参照して本発明のオゾン発生装置を有するゴミ箱を説明する。図１は、本発明の第１実施例に係るオゾン発生装置を有するゴミ箱を示す斜視図である。図１に示すように、本発明のオゾン発生装置を有するゴミ箱１００は、主に、本体２内に設置されるオゾン発生装置１が含まれる。本体２の一端には開口が設けられており、開口には凹入してゴミを置く空間４が設けられている。本体２開口の周縁には、蓋３が枢設されている。蓋３が本体２を閉鎖した場合、オゾン発生装置１の吸気口１２によって空間４内の空気をオゾン発生装置１に導入して処理し、並びに排気口１３から排出し、空間４内の空気の浄化及び殺菌の効果が達成される。
【００３３】
図２は、本発明の第１実施例に係るオゾン発生装置の分解図である。図２に示すように、オゾン発生装置１の蓋３の内端面には、二つの対応するストッパー３１が設けられ、かつその両ストッパー３１間にはオゾン発生装置１のスライドに供されるレール３２が設けられている。
【００３４】
図３は、本発明のオゾン発生装置を有するゴミ箱の使用例を示す図である。図３に示すように、オゾン発生装置１には載せ部１０、及びその載せ部１０を被さる蓋６０が含まれる。その蓋６０の頂上面にはＴ型結合部６１が設置され、それによりオゾン発生装置１は取り外し可能に蓋３のレール３２に設けられ、蓋６０が載せ部１０を被せた場合は、空間６２を形成することができる。かつその空間６２はファン２０、３０及びオゾン発生部４０と電源供給装置５０の設置に供することができる。
【００３５】
また、図２に示すように、載せ部１０は盆状に形成され、かつ載せ面１１が設けられている。載せ面１１には上、下表面を貫通し、対応する吸気口１２及び排気口１３が設けられている。また、ファン２０は載せ面１１の上表面にねじ付けられ、吸気口１２に対応して空気をその吸気口１２に導入する。ファン３０は載せ面１１の上表面にねじ付けられ、排気口１３に対応して空気をその排気口１３から排出する。
【００３６】
オゾン発生部４０は載せ面１１の上表面に取付けられ、それには回路装置４１があり、その回路装置４１にはコントロール・チップ４２、直流電気発生器４３及び電極エレメント４４が含まれている。回路装置４１は二つのファン２０、３０及び電源供給装置５０と電気的に接続し、その回路装置４１のコントロール・チップ４２によって直流電気発生器４３を駆動する。高圧高周波数の電流を電極エレメント４４に伝送してオゾンを発生し、同時にファン２０、３０を駆動して空気を循環する。その直流電気発生器４３と電極エレメント４４が作動してオゾンを発生する技術は周知の技術であるため、ここでは説明を省略する。
【００３７】
電源供給装置５０は載せ面１１の上表面に取付けられてファン２０、３０及び回路装置４１の電源を供給する。本実施例に於いて、その電源供給装置５０は直流電気を供給することができ、かつ電源供給装置５０は内部に電池５２が設けられている盆体５１が含まれている。その盆体５１の周縁には、更にスイッチ５３が設けられて蓋６０の外周に連結されている。
【００３８】
図３に示すように、本発明の本体２の空間４内には内筒５が設けられ、内筒５にゴミ６が投入されると、直ちにスイッチ５３を入れてファン２０、３０を駆動し、オゾン発生部４０を作動させる。内筒５内で発生したゴミ６の悪臭空気は吸気口１２を経てファン２０に吸入され、空気をオゾン発生装置１の空間６２内に導入し、電極エレメント４４が発生したオゾンによって悪臭空気と接触すると、空気中の有害細菌を浄化しまたは浮遊粒子を分解することができる。浄化された空気は、ファン３０によって排気口１３から排出され、このように繰り返し循環浄化すれば、ゴミ箱１００内の悪臭空気を浄化することができ、使用者が蓋３を開けた場合には鼻を刺すような悪臭がゴミ箱１００の外側に流れることなく、特に室内に置かれたゴミ箱１００は細菌が室内空気に飛散することを低減することができる。
【００３９】
図４は、本発明の第２実施例に係るオゾン発生装置を有するゴミ箱を示す断面図である。図４に示す第２実施例のオゾン発生装置を有するゴミ箱は、上記第１実施例のオゾン発生装置を有するゴミ箱の構成と略同様であるので、同じ構成には同符号を付して説明を省略する。第２実施例のオゾン発生装置を有するゴミ箱の主な特徴は、ゴミ箱１００の空間４内に内筒５がなく、かつ蓋３は枢接式でなく直接本体２の開口を被さり、蓋３にはスイング式内蓋３３が設けられている。その内蓋３３のいずれか一端を押せば、内蓋３３はスイングして本体２の開口を開けることができる。オゾン発生装置１はその内蓋３３に結合され、載せ部１０の吸気口１２にはファン２０が設けられている。それは空間４内の空気の吸い込みに使われ、オゾン発生部４０を経て空気の浄化効果が達成され、更に排気口１３から空間４内に排出し、このように繰り返し循環すれば空気を充分に浄化することができる。
【００４０】
図５は、本発明の第３実施例に係るオゾン発生装置を有するゴミ箱を示す断面図である。図５に示す第３実施例のオゾン発生装置を有するゴミ箱は、上記第２実施例のオゾン発生装置を有するゴミ箱の構成と略同様であるので、同じ構成には同符号を付して説明を省略する。第３実施例のオゾン発生装置を有するゴミ箱の主な特徴は、スイング式内蓋３３のあるゴミ箱１００のオゾン発生装置１は本体の空間側縁に取付けられ、かつそのオゾン発生装置１は排気口１３だけにファン３０が設けられ、ファン３０の排気機能によって空間４内の空気を循環させ、空気は絶えなく吸気口１２から進入し、ファン３０によって空気が排出され、空気を循環浄化する効果が達成される。また、本実施例に於いて、スイッチ５３は本体２の外部に設置され、使用者は直接本体２の外側で押してオゾン発生装置１を始動することができる。
【００４１】
図６は、本発明の第４実施例に係るオゾン発生装置を有するゴミ箱を示す断面図である。図６に示す第４実施例のオゾン発生装置を有するゴミ箱は、上記第１実施例のオゾン発生装置を有するゴミ箱の構成と略同様であるので、同じ構成には同符号を付して説明を省略する。第４実施例のオゾン発生装置を有するゴミ箱の主な特徴は、その電源供給装置５０が変圧器５４に変えられた点であり、その変圧器５４は外部の交流電源に連結され、それを直流電気に転換して回路装置４１へ伝送される。また、スイッチ５３は直接回路装置４１へ連結されるように実施される。
【００４２】
図７は、本発明の第５実施例に係るオゾン発生装置を有するゴミ箱を示す斜視図である。図７に示す第５実施例のオゾン発生装置を有するゴミ箱は、上記第１実施例のオゾン発生装置を有するゴミ箱の構成と略同様であるので、同じ構成には同符号を付して説明を省略する。第５実施例のオゾン発生装置を有するゴミ箱の主な特徴は、そのゴミ箱１００の本体２が四角形に変えられた点であり、外周縁には対応するストッパー２１が設けられ、二つストッパー２１間にはレール２２が設けられている。レール２２の間には気孔２３、２４が設けられてゴミ箱１００の内部に連通される。オゾン発生装置１の載せ部１０には、両側から突き出す結合部１４が設けられ、オゾン発生装置１は取り外し可能に本体２のレール２２に取付けられている。気孔２３、２４はそれぞれ吸気口１２と排気口１３に対応し、ファン２０によって空気をオゾン発生装置１に吸い込み、空気はオゾン発生部４０を経てファン３０から排出され、空気浄化の効果が達成される。
【００４３】
図８は、本発明の第６実施例に係るオゾン発生装置を有するゴミ箱を示す斜視図である。図８に示す第６実施例のオゾン発生装置を有するゴミ箱は、上記第５実施例のオゾン発生装置を有するゴミ箱の構成と略同様であるので、同じ構成には同符号を付して説明を省略する。第６実施例のオゾン発生装置を有するゴミ箱の主な特徴は、そのゴミ箱１００の蓋３の外周縁には対応するストッパー３４が設けられ、かつ二つストッパー３４間にはレール３５が設けられている。両レール３５の間には気孔３６、３７が設けられてゴミ箱１００の内部に連通される。オゾン発生装置１の載せ部１０には両側から突き出す結合部１４が設けられ、オゾン発生装置１は取り外し可能に蓋３のレール３５に取付けられ、気孔３６、３７はそれぞれ吸気口１２と排気口１３に対応し、ファン２０によって空気をオゾン発生装置１に吸い込み、空気はオゾン発生部４０を経てファン３０から排出され、空気浄化の効果が達成される。
【００４４】
図９は、本発明の第７実施例に係るオゾン発生装置を有するゴミ箱を示す斜視図である。図１０は、本発明の第７実施例に係るオゾン発生装置を示す分解斜視図である。図９、１０に示す第７実施例のオゾン発生装置を有するゴミ箱は、上記第１実施例のオゾン発生装置を有するゴミ箱の構成と略同様であるので、同じ構成には同符号を付して説明を省略する。第７実施例のオゾン発生装置を有するゴミ箱の主な特徴は、そのオゾン発生装置１の載せ部１０は蓋３の内縁の板７０に嵌め付けられるように実施され、かつその板７０にはファン２０、オゾン発生部４０及び電源供給部５０を載せるための容置部７１が設けられている。
【００４５】
容置部７１の一側面には吸気口７２が設けられ、かつファン２０は容置部７１の上表面に設置されて吸気口７２に対応し、空気はその吸気口７２に導入される。容置部７１の予定個所には更に上下表面を貫通する排気口７３が設けられ、Ｌ型蓋７４はファン２０の出口及び排気口７３の間に設けられ、それによって排気通路７５を形成し、オゾン発生部４０の電極エレメント４４は排気通路７５内に設けられ、その電極エレメント４４にはオゾンを発生する機能があるので、排気通路７５内に流れる空気は浄化の効果を達成することができる。
【００４６】
図１１は、本発明の第７実施例に係るオゾン発生装置の変形例を示す分解斜視図である。図１１に示す第８実施例のオゾン発生装置を有するゴミ箱は、上記第７実施例のオゾン発生装置を有するゴミ箱の構成と略同様であるので、同じ構成には同符号を付して説明を省略する。第８実施例のオゾン発生装置を有するゴミ箱の主な特徴は、その電源供給装置５０は変圧器５４に変えらた点であり、その変圧器５４は外部の交流電源に連結され、かつ直流電気に転換して回路装置４１へ伝送され、オゾン発生装置１が必要とする電源を供給する。
【００４７】
したがって、本発明のオゾン発生装置のあるゴミ箱は、オゾン発生装置をゴミ箱の本体または蓋に取り付け、ゴミが投入されると本体内の空気はオゾン発生装置に吸入され、電極エレメントから発生されるオゾンと接触して有害の細菌は消滅され、空気を浄化する目的が達成され、かつ本体内で繰り返し循環され、蓋が開けられても悪臭が発生せず、病原菌を空気中に拡散することなく、病原菌を効果的に浄化することができる。
【００４８】
尚、上記は本発明の最適実施例であり、本発明の実施範囲を制限するものではなく、本発明と類似の改良、変形はすべて本発明の特許範囲内に含まれる。
【００４９】
【発明の効果】
このようなオゾン発生装置を有するゴミ箱において、凹入して空間が設けられた開口が一端に設けられた本体と、選択的に開口を被せて空間を閉鎖する蓋と、蓋に設置され、吸気口及び排気口により空間と連通し、空間内の空気が流れ経て本体空間内の空気を浄化するオゾン発生装置とを有することにより、効率的にゴミ箱内の空気の有害菌または浮遊粒子を浄化することができる。
【図面の簡単な説明】
【図１】本発明の第１実施例に係るオゾン発生装置を有するゴミ箱を示す斜視図である。
【図２】本発明の第１実施例に係るオゾン発生装置の分解図である。
【図３】本発明のオゾン発生装置を有するゴミ箱の使用例を示す図である。
【図４】本発明の第２実施例に係るオゾン発生装置を有するゴミ箱を示す断面図である。
【図５】本発明の第３実施例に係るオゾン発生装置を有するゴミ箱を示す断面図である。
【図６】本発明の第４実施例に係るオゾン発生装置を有するゴミ箱を示す断面図である。
【図７】本発明の第５実施例に係るオゾン発生装置を有するゴミ箱を示す斜視図である。
【図８】本発明の第６実施例に係るオゾン発生装置を有するゴミ箱を示す斜視図である。
【図９】本発明の第７実施例に係るオゾン発生装置を有するゴミ箱を示す斜視図である。
【図１０】本発明の第７実施例に係るオゾン発生装置を示す分解斜視図である。
【図１１】本発明の第７実施例に係るオゾン発生装置の変形例を示す分解斜視図である。
【符号の簡単な説明】
１                オゾン発生装置
２                本体
３、６０          蓋
５                内筒
６                ゴミ
１０              載せ部
１１              載せ面
１２              吸気口
１３              排気口
１４              結合部
２０、３０        ファン
２１、３１、３４  ストッパー
２２、３２、３５  レール
２３、２４、３６、３７    気孔
３３              内蓋
４０              オゾン発生部
４１              回路装置
４２              コントロール・チップ
４３              直流電気発生器
４４              電極エレメント
５０              電源供給装置
５１              盆体
５２              電池
５３              スイッチ
５４              変圧器
６１              結合部
７０              板
７１              容置部
７２              吸気口
７３              排気口
７４              蓋
７５              排気通路
１００            ゴミ箱
【図１】
2005029321.tif 000003
【図２】
2005029321.tif 000004
【図３】
2005029321.tif 000005
【図４】
2005029321.tif 000006
【図５】
2005029321.tif 000007
【図６】
2005029321.tif 000008
【図７】
2005029321.tif 000009
【図８】
2005029321.tif 000010
【図９】
2005029321.tif 000011
【図１０】
2005029321.tif 000012
【図１１】
2005029321.tif 000013